(57)【要約】    【課題】  カメラのミラー部材の回動領域を撮像面側に寄せて、交換レンズのマウント基準面からの突出量を大きくする。    【解決手段】  マウント基準面から像面方向に突出した突出部の突出量が第１の交換レンズより大きく、かつフランジバックが第１の交換レンズと同一の第２の交換レンズ５０１を装着可能な第２のカメラ３０１において、ミラー部材３０６の回動中心を該ミラー部材の面内方向を含む面Ｒに対してファインダー光学系とは反対側に設ける。これにより、第２のカメラ３０１の収容部３０７に収容される第２の交換レンズ５０１の突出部５０５の突出量を大きくする。    【選択図】  図４２
2005099066.tif 000002
【特許請求の範囲】
【請求項１】
第１の交換レンズと、
マウント基準面から像面方向に突出した突出部の突出量が前記第１の交換レンズより大きく、かつフランジバックが前記第１の交換レンズと同一の第２の交換レンズと、
マウントの内側に第１の壁部を有し、前記第１の交換レンズが装着され、かつ前記第２の交換レンズの前記突出部が前記第１の壁部に当接することにより前記第２の交換レンズの装着が阻止される第１のカメラと、
マウントの内側に、前記第２の交換レンズの前記突出部から退避する位置に設けられた第２の壁部を有し、前記第１および第２の交換レンズが装着される第２のカメラとを含むカメラシステムに使用される前記第２の交換レンズであって、
被写体から撮像面に向かう光束をファインダー光学系に反射する第１の位置と該光束に対して退避する第２の位置との間で、前記第２の壁部よりも撮像面側において回動するミラー部材を有し、前記ミラー部材の回動中心が該ミラー部材の面内方向を含む面に対して前記ファインダー光学系とは反対側に位置する前記第２のカメラに装着されることを特徴とする交換レンズ。
【請求項２】
マウント基準面から像面方向に突出した突出部の突出量が第１の交換レンズより大きく、かつフランジバックが前記第１の交換レンズと同一の第２の交換レンズであり、
前記第１の交換レンズが装着され、かつマウントの内側に第１の壁部を有する第１のカメラに対しては、前記第２の交換レンズの前記突出部が前記第１の壁部に当接することにより装着が阻止され、
前記第１の交換レンズが装着され、かつマウントの内側に、前記第２の交換レンズの前記突出部から退避する位置に設けられた第２の壁部を有する第２のカメラに対して装着される前記第２の交換レンズであって、
被写体から撮像面に向かう光束をファインダー光学系に反射する第１の位置と該光束に対して退避する第２の位置との間で、前記第２の壁部よりも撮像面側において回動するミラー部材を有し、前記ミラー部材の回動中心が該ミラー部材の面内方向を含む面に対して前記ファインダー光学系とは反対側に位置する前記第２のカメラに装着されることを特徴とする交換レンズ。
【請求項３】
前記第２の壁部が前記ミラー部材を回動可能に保持し、かつ前記第２のカメラのマウントが取り付けられたミラーボックスに形成され、かつ前記ミラーボックスは、前記ミラー部材で反射して前記ファインダー光学系に向かう光束が通る開口のマウント側端位置に設けられた第３の壁部を有し、前記ミラー部材の回動軌跡における最もマウント側の位置が、撮影光軸方向における前記第２の壁部の位置と前記第３の壁部の位置との間の領域内にある前記第２のカメラに装着されることを特徴とする請求項１又は２に記載の交換レンズ。
【請求項４】
前記第２の交換レンズの前記突出部内に光学レンズが配置されており、前記第２の交換レンズのバックフォーカスが前記第１の交換レンズよりも短いことを特徴とする請求項１から３のいずれか１つに記載の交換レンズ。
【請求項５】
前記第１および第２の交換レンズと前記第２のカメラとはバヨネット結合により装着され、
前記第１の交換レンズに装着する際の前記第１の交換レンズとの間の位相関係を決定する目印となる第１の指標と、前記第１の指標とは異なる位相位置に設けられ、前記第２の交換レンズに装着する際の前記第２の交換レンズとの間の位相関係を決定する目印となる第２の指標とを有する前記第２のカメラに装着されることを特徴とする請求項１から４のいずれか１つに記載の交換レンズ。
【請求項６】
前記第２の交換レンズの前記突出部の像面側の端部に弾性部材が設けられていることを特徴とする請求項１から５のいずれか１つに記載の交換レンズ。
【請求項７】
第１の交換レンズと、
マウント基準面から像面方向に突出した突出部の突出量が前記第１の交換レンズより大きく、かつフランジバックが前記第１の交換レンズと同一の第２の交換レンズと、
マウントの内側に第１の壁部を有し、前記第１の交換レンズが装着され、かつ前記第２の交換レンズの前記突出部が前記第１の壁部に当接することにより前記第２の交換レンズの装着が阻止される第１のカメラと、
マウントの内側に、前記第２の交換レンズの前記突出部から退避する位置に設けられた第２の壁部を有し、前記第１および第２の交換レンズが装着される第２のカメラとを含み、
前記第２のカメラは、被写体から撮像面に向かう光束をファインダー光学系に反射する第１の位置と該光束に対して退避する第２の位置との間で、前記第２の壁部よりも撮像面側において回動するミラー部材を有し、前記ミラー部材の回動中心が該ミラー部材の面内方向を含む面に対して前記ファインダー光学系とは反対側に位置することを特徴とするカメラシステム。
【請求項８】
前記第２のカメラにおいて、前記第２の壁部が前記ミラー部材を回動可能に保持し、かつ前記第２のカメラのマウントが取り付けられたミラーボックスに形成され、かつ前記ミラーボックスは、前記ミラー部材で反射して前記ファインダー光学系に向かう光束が通る開口のマウント側端位置に設けられた第３の壁部を有し、前記ミラー部材の回動軌跡における最もマウント側の位置が、撮影光軸方向における前記第２の壁部の位置と前記第３の壁部の位置との間の領域内にあることを特徴とする請求項７に記載のカメラシステム。
【請求項９】
前記第１および第２の交換レンズと前記第２のカメラとはバヨネット結合により装着され、
前記第２のカメラは、前記第１の交換レンズに装着する際の前記第１の交換レンズとの間の位相関係を決定する目印となる第１の指標と、前記第１の指標とは異なる位相位置に設けられ、前記第２の交換レンズに装着する際の前記第２の交換レンズとの間の位相関係を決定する目印となる第２の指標とを有することを特徴とする請求項７又は８に記載のカメラシステム。
【請求項１０】
前記第２の交換レンズの前記突出部内に光学レンズが配置されており、前記第２の交換レンズのバックフォーカスが前記第１の交換レンズよりも短いことを特徴とする請求項７から９のいずれか１つに記載のカメラシステム。
【請求項１１】
前記第２の交換レンズの前記突出部の像面側の端部に弾性部材が設けられていることを特徴とする請求項７から１０のいずれか１つに記載のカメラシステム。
【発明の詳細な説明】
【技術分野】
【０００１】
本発明は、同一マウント構造を有する複数のカメラと、マウント基準面から像面方向への突出量が異なる交換レンズとを含むカメラシステムに使用される交換レンズに関するものである。
【背景技術】
【０００２】
近年、カメラのデジタル化が進み、レンズ交換が可能な一眼レフカメラシステムにおいても、従来の交換レンズ群が装着使用可能なようにマウント形状の同一性は継承しつつ、３５ｍｍ銀塩フィルムをＣＣＤやＣＭＯＳセンサなどの電子撮像素子にした一眼レフデジタルカメラが提案されている。しかし、３５ｍｍ銀塩フィルムと同サイズのＣＣＤやＣＭＯＳセンサなどの電子撮像素子は大変高価であるため、３５ｍｍフィルムよりも小さい撮像素子（例えば、ＡＰＳ−Ｃサイズの撮像素子）を使用したものが主流となっている。
【０００３】
このような従来の３５ｍｍフィルムよりも小さい撮像素子を用いた一眼レフデジタルカメラにおいては、イメージサークルが３５ｍｍフィルムよりも小さいので、カメラボディ内のクイックリターンミラーを小さくすることが可能であり、ひいてはカメラボディ自体を小型化することが可能である。  また、従来よりもクイックリターンミラーが小さくなると、交換レンズも従来の交換レンズよりもバックフォーカスを短くすることが可能となり、イメージサークルも小さいので、交換レンズの小型化が可能というメリットがある。
【０００４】
しかし、前述したバックフォーカスの短い交換レンズを、３５ｍｍフィルムカメラボディ若しくは該交換レンズよりも大きなイメージサークルに対応したデジタルカメラに取り付けてしまうと、交換レンズの後端部とクイックリターンミラーが干渉してしまう恐れがある。また、従来システムのカメラボディに、バックフォーカスの短い（イメージサークルの小さい）デジタルカメラ専用交換レンズを装着可能にすると、撮像面の周辺に光束が届かない等の不具合が発生する。
【０００５】
したがって、この様な組合せでカメラボディと交換レンズとが装着されてしまうことがないように制限する手段が必要となる。
【０００６】
特許文献１には、マウントは共通であるが、バックフォーカスが一定以下の交換レンズの装着を制限するカメラシステムおよびカメラボディ、交換レンズが開示されている。このカメラシステム等では、従来のカメラボディのマウント内部にフランジ部を設け、このフランジ部にバックフォーカスの短い交換レンズに設けられた固定突起が当接することで、該交換レンズの装着が制限されるようにしている。
【０００７】
また、特許文献１には、バックフォーカスが長いカメラのクイックリターンミラーに比べて、バックフォーカスの短いカメラのクイックリターンミラーを小型にできることも開示されている。
【特許文献１】特許第３２１７２７３号公報（段落００１８〜００３４、図１および図３等）
【発明の開示】
【発明が解決しようとする課題】
【０００８】
しかしながら、特許文献１に開示されているように、単にクイックリターンミラーを小型化しただけでは、該クイックリターンミラーの回動領域（回動軌跡）を十分に撮像面側に寄せることができない。このため、このカメラに装着される専用交換レンズのマウント基準面から撮像面側へ突出量が制限され、バックフォーカスも十分に短くすることができない。
【０００９】
本発明は、クイックリターンミラー（ミラー部材）の小型化と相まって、さらにクイックリターンミラーの回動領域を撮像面側に寄せることにより、該カメラに装着される交換レンズのマウント基準面からの突出量を大きくすることできるようにすることを目的としている。
【課題を解決するための手段】
【００１０】
上記の目的を達成するために、本発明は、第１の交換レンズと、マウント基準面に対して像面方向に突出した突出部の前記マウント基準面からの突出量が前記第１の交換レンズより大きく、かつフランジバックが前記第１の交換レンズと同一の第２の交換レンズと、マウントの内側に第１の壁部を有し、前記第１の交換レンズが装着され、かつ前記第２の交換レンズの前記突出部が前記第１の壁部に当接することにより前記第２の交換レンズの装着が阻止される第１のカメラと、マウントの内側に、前記第２の交換レンズの前記突出部から退避する位置に設けられた第２の壁部を有し、前記第１および第２の交換レンズが装着される第２のカメラとを含むカメラシステムに使用される第２の交換レンズにある。ここで、前記第２のカメラは、被写体から撮像面に向かう光束をファインダー光学系に反射する第１の位置と該光束に対して退避する第２の位置との間で、前記第２の壁部よりも撮像面側において回動するミラー部材を有し、前記ミラー部材の回動中心が該ミラー部材の面内方向を含む面に対して前記ファインダー光学系とは反対側に位置する。
【発明の効果】
【００１１】
上記発明によれば、第２のカメラにおいて、ミラー部材の回動中心がミラー部材の面内方向を含む面上に位置する場合に比べて、ミラー部材の回動領域（および第２の壁部）を撮像面側に寄せることができる。このため、第２のカメラのより小型化が図れるとともに、該第２のカメラに装着される第２の交換レンズの突出部のマウント基準面から像面方向への突出量をより大きく設定することができる。したがって、該交換レンズのバックフォーカスも第１の交換レンズに比べて十分短くすることができる。
【００１２】
なお、第２のカメラにおいて、ミラーボックスに、ミラー部材で反射してファインダー光学系に向かう光束が通る開口のマウント側端位置に第３の壁部を設け、ミラー部材の回動軌跡の最もマウント側の位置が、撮影光軸方向における上記第２の壁部の位置と第３の壁部の位置との間の領域内にあるようにすれば、回動するミラー部材との干渉が生じない限界近くの位置まで第２の交換レンズを突出させることができる。
【００１３】
また、第２のカメラにおいて、第１の交換レンズに装着する際の該第１の交換レンズとの間のバヨネット結合の位相関係を決定する目印となる第１の指標に対して、第２の交換レンズに装着する際の該第２の交換レンズとの間の位相関係を決定する目印となる第２の指標を異なる位相位置に設けることにより、第２の交換レンズの第２カメラに対する装着を容易とし、誤装着を回避することができる。
【００１４】
さらに、第２の交換レンズの突出部における像面側の端部に弾性部材を設けることで、第２の交換レンズを第１のカメラに装着しようとしたときの該突出部の第１のカメラにおける第１の壁部への当接により、該第１の壁部や突出部に傷が付くことを回避することができる。
【発明を実施するための最良の形態】
【００１５】
以下、本発明の実施例について図面を参照しながら説明する。
【実施例１】
【００１６】
図１〜図６には、本発明の実施例１である交換レンズおよびカメラボディを含むカメラシステムを示している。
【００１７】
図１は、３５ｍｍフィルムカメラ用の第１の交換レンズ１を示す断面図で、第１の光学レンズ２、第２の光学レンズ３を鏡筒内に保持している。後端側には、カメラボディとバヨネット結合するためのバヨネット爪４を有しており、バヨネット爪４は、撮像面１００からフランジバックＡを隔てたマウント基準面５よりも撮像面１００寄りに配置されている。ここで、バヨネット爪４を含むマウント基準面５からの撮像面方向への突出部分が第１の交換レンズ１の突出部に相当する。
【００１８】
また、マウント基準面５からバヨネット爪４の撮像面１００側の端面までの距離をＢ’で示している。また、撮像面１００から第２の光学レンズ３までの距離をＣ’で示している。ここで、第１の交換レンズ１を単体で机上等に置いたときに、第２の光学レンズ３に傷がつかないように、Ａ−Ｂ’＜Ｃ’となるように構成されている。
【００１９】
図２は、ＡＰＳ−Ｃサイズの撮像素子（但し、３５ｍｍフィルムサイズより小さければ、ＡＰＳ−Ｃサイズと異なるサイズの撮像素子でもよい）を有するカメラ用の第２の交換レンズ１１を模式的に示す断面図で、第１の光学レンズ１２と、第２の光学レンズ１３を鏡筒内に保持している。第２の光学レンズ１３の後端側には、第１の交換レンズ１と同様に、カメラボディとバヨネット結合するためのバヨネット爪４を有しており、バヨネット爪４は、撮像面１００からフランジバックＡを隔てたマウント基準面５よりも撮像面１００寄りに配置されている。
【００２０】
また、バヨネット爪４よりもさらに撮像面１００寄りで、且つバヨネット爪４の内径側には突出部１４が形成されている。なお、マウント基準面５から突出部１４の撮像面１００側端面までの部分が請求の範囲にいう突出部であるが、ここでは、説明の便宜上、バヨネット爪４から突出した部分を突出部１４という。その突出部１４の先端（後端）には、弾性部材であるところのゴムリング１５が、その弾性を生かして、光軸を中心として全周はめ込まれている。また、ゴムリング１５は、突出部１４とは異なる色調および材質となっていて、使用者が容易に視覚で認識可能となっている。
【００２１】
ここで、マウント基準面５から、ゴムリング１５の撮像面１００側端面までの距離をＢとする。
【００２２】
第２の光学レンズ１３は、突出部１４を生かすように、第１の交換レンズ１に比べて、より撮像面１００側に配置され、バックフォーカスＣが短くなるよう構成されている。また、第１の交換レンズ１と同様に、第２の交換レンズ１１を単体で机上等に置いたときに、第２の光学レンズ１３に傷がつかないように、Ａ−Ｂ＜Ｃとなるように構成されている。
【００２３】
また、突出部１４を下にして、机上等に置かれた場合でも倒れにくいように、突出部１４の径と突出量の比は３：１以上に設定されていて、かつゴムリング１５は滑り止めの効果も有する。
【００２４】
第１の交換レンズ１と第２の交換レンズ１１を比較すると、撮像面１００からマウント基準面５まの距離Ａ、および、バヨネット爪４の位置および形状は、同じに形成されている。基準面５から、撮像面１００方向への突出量はＢ’＜Ｂ、撮像面１００からそれぞれの第２の光学レンズまでのバックフォーカスは、Ｃ’＞Ｃとなっている。
【００２５】
図３は、第１の交換レンズ１のみが装着可能な、第１のカメラボディ２１（たとえば３５ｍｍフィルム用のカメラボディ）に、第１の交換レンズ１を装着した状態での模式的な断面図である。第１のカメラボディ２１には、第１の交換レンズ１のマウント基準面５と当接するカメラボディ側のマウント基準面２２を有するとともに、バヨネット爪４と係合するカメラボディ側のバヨネット構造２３を有している。
【００２６】
２４はクイックリターンミラーで、第１の光学レンズ２および第２の光学レンズ３を透過した光線の一部を、クイックリターンミラー２４によって、不図示のファインダー系に反射し、残りを半透過部を通じて、不図示の測距系および測光系に送る。使用者により、レリーズ動作が行われると、クイックリターンミラー２４は図中矢印方向に跳ね上がる。
【００２７】
図４は、第１の交換レンズ１および第２の交換レンズ１１が装着可能な、第２のカメラボディ３１（たとえば、ＡＰＳ−Ｃサイズの撮像素子を有するカメラボディ）に、第１の交換レンズ１を装着した状態での模式的な断面図である。
【００２８】
第２のカメラボディ３１には、第１のカメラボディ２１と同様に、第１の交換レンズ１のマウント基準面５と当接するカメラボディ側のマウント基準面２２を有するとともに、バヨネット爪４と係合するカメラボディ側のバヨネット構造２３を有している。
【００２９】
３２はクイックリターンミラーで、第１の光学レンズ２および第２の光学レンズ３を透過した光線の一部を、クイックリターンミラー３２によって、不図示のファインダー系に反射し、残りを半透過部を通じて、不図示の測距系および測光系に送る。使用者により、レリーズ動作が行われると、クイックリターンミラー３２は図中矢印方向に跳ね上がる。
【００３０】
ここで、クイックリターンミラー３２は、機能および作用的には、第１のカメラボディ２１のクイックリターンミラー２４と同様であるが、撮像素子が３５ｍｍフィルムよりも小さいので、クイックリターンミラー３２はクイックリターンミラー２４よりも小さくて済み、結果的に跳ね上がったときも、その軌跡は小さい。
【００３１】
図５は、第２のカメラボディ３１に、第２の交換レンズ１１を装着したときの模式的な断面図である。第２のカメラボディ３１には、第２の交換レンズ１１の突出部１４を避けるように、凹部３３が形成されている。また上述したように、クイックリターンミラーが小さいため、第２の交換レンズ１１のようにバックフォーカスの短い交換レンズでも、クイックリターンミラー３２と干渉することはなく、その軌跡も、カメラボディ側のマウント基準面２２から凹部３３の後端面（第２の壁部）までの距離Ｆよりも、撮像面１００側を通るように構成されている。
【００３２】
図６は、第１のカメラボディ２１に、第２の交換レンズ１１を装着しようとしたときの、模式的な断面図である。この組み合わせにおいては、第２の交換レンズ１１は、ＡＰＳ−Ｃサイズの撮像素子を有するカメラ用であるため、３５ｍｍフィルムカメラであるところの第１のカメラボディ２１には装着が出来ないように、マウント基準面５から、ゴムリング１５（突出部１４）の撮像面１００側の端面までの距離Ｂよりも、第１のカメラボディ２１のマウント基準面２２からの距離が短い位置Ｆ’に壁部（第１の壁部）２５を設けることにより、装着不可能にしている。このとき、使用者が装着不可能に気づかず、無理に装着しようとしても、第１のカメラボディ２１および第２の交換レンズ１１の双方が破損しないように、ゴムリング１５がカメラボディの壁部２７に先当りするよう構成されている。
【００３３】
またこのような誤装着を、未然に防止するための実施例を、図７〜図１０を用いて説明する。
【００３４】
図７は、第１のカメラボディ２１に第１の交換レンズ１を装着した状態の正面図である。第１のカメラボディ２１には、第１の交換レンズ１の装着時において、バヨネットの位相を合わせるための取り付け指標２６が設けられており、第１の交換レンズ１には、取り付け指標６が設けられている。装着時には、取り付け指標６と取り付け指標２６の位相を合わせ、それぞれのマウント基準面を当接させて、所定角度Ｄ回転させることにより、装着が完了する。
【００３５】
図８は、第２のカメラボディ３１に第２の交換レンズ１１を装着した状態の正面図である。第２の交換レンズ１１には、第２のカメラボディ３１に対して、バヨネット爪の位相を合わせるための取り付け指標１６が、第１の交換レンズ１の取り付け指標６とは異なる角度位相Ｅに設けられている。また、第２のカメラボディ３１には、第２の交換レンズ１１の取り付け指標１６に対応した角度位相に取り付け指標３５が設けられている。さらに、第２のカメラボディ３１は、第１の交換レンズ１も装着可能であるので、第１の交換レンズ１の取り付け指標６に対応した取り付け指標３４も設けられている。
【００３６】
また、図８のように、第１の交換レンズ１に対応した取り付け指標３４と第２の交換レンズ１１に対応した取り付け指標３５の形状を異なった形状としておくことにより、視覚による注意を使用者に促し、より誤装着を未然に防止することが可能であり、形状だけでなく、色調も異なるようにしておくと、より効果が期待できる。装着時には、それぞれに対応した取り付け指標の位相を合わせ、所定角度Ｄ回転させることにより、装着が完了する。
【００３７】
また、図９および図１０のように、第１の交換レンズ１の取り付け指標６と、第２の交換レンズ１１の取り付け指標１６の形状および色調を、それぞれ第１のカメラボディ２１および第２のカメラボディ３１に合わせておくと、更に効果が期待できる。また、取り付け指標１６を第２の交換レンズ１１の外周から凸形状としておくことにより、触覚による注意を使用者に促し、より誤装着を未然に防止することが可能となる。
【実施例２】
【００３８】
図１１〜図１８を用いて本発明の実施例２であるカメラシステムについて説明する。図１１〜図１４は、上記カメラシステムの主要部分を示す断面図である。図１５および図１６は、本実施例の第１および第２の交換レンズを示す断面図および正面図である。図１７および図１８は、本実施例の第１および第２のカメラボディを示す断面図および正面図である。
【００３９】
これらの図中、１２０および１３０は交換レンズであり、１２０はフィルム面（若しくは撮像素子の受光面）でのイメージサイズの小さな第２の交換レンズ、１３０はイメージサイズの大きな第１の交換レンズである。１４０および１５０はカメラボディであり、１４０は第１および第２の交換レンズを取り付けることの可能な第２のカメラボディ、１５０は第２の交換レンズを取り付けることの出来ない第１のカメラボディを表している。図１１は第２の交換レンズ１２０と第２のカメラボディ１４０が装着された状態を、図１２は第２の交換レンズ１２０と第１のカメラボディ１５０が装着できない状態を表している。図１３は第１の交換レンズ１３０と第２のカメラボディ１４０が装着された状態を、図１４は第１の交換レンズ１３０と第１のカメラボディ１５０が装着された状態を表している。
【００４０】
図１５は、第２の交換レンズ１２０を表しており、１０１は交換レンズ本体、１０２はレンズ側バヨネットマウントである。レンズ側バヨネットマウント１０２において、１０２ａはマウント基準面であり、１０２ｂはカメラ側マウントとバヨネット接続するための爪部（バヨネット爪部）であり、周方向に複数のバヨネット爪部が設けられている。１０３は裏蓋（突出部）である。該裏蓋１０３のカメラ側後端面は、後述する第１の交換レンズ１３０に比べて、マウント基準面１０２ａからの突出量（図中にＡで示す）が大きい。１０４はキズ防止ゴム、１０５はレンズ側電気接点である。交換レンズ本体１０１は本提案に直接関係が無いため、外形線のみ表し、詳細な説明を省略する。
【００４１】
図１６は第１の交換レンズ１３０を表しており、１０６は交換レンズ鏡筒本体、１０７は裏ブタである。レンズ側バヨネットマウント１０２およびレンズ側電気接点１０５は第２の交換レンズと同じものである。レンズ側バヨネットマウント１０２において、１０２ａはマウント基準面であり、１０２ｂはカメラ側マウントとバヨネット接続するための爪部（バヨネット爪部）であり、周方向に複数のバヨネット爪部が設けられている。
【００４２】
図１７は第２のカメラボディ１４０の断面図および正面図を表している。１０８はカメラ本体、１０９はカメラボディ側バヨネットマウント、１１０は複数のカメラ側電気接点ピン、１１１は接点ピン用バネである。カメラボディ側バヨネットマウント１０９には、交換レンズとの位置決め面であるマウント基準面１０９ａとカメラ側バヨネット爪部１０９ｂとが設けられている。電気接点ピン１１０は交換レンズ側のレンズ電気接点１０５に対応する場所に該接点ピン用バネ１１１により交換レンズ側に向かって付勢されている。
【００４３】
図１８は第１のカメラボディ１５０の断面図および正面図を表している。１１２はカメラ本体である。カメラボディ側バヨネットマウント１０９、電気接点ピン１１０、接点ピン用バネ１１１は、図１７の第２のカメラボディと同じものである。カメラ本体１１２のマウントの内径部には、突き当て面（第１の壁部）１１２ａを有している。カメラ本体１０８のマウント内径部には該突き当て面１１２ａに相当する位置に、第２の交換レンズ１２０の裏蓋１０３を収容可能な切り欠き部１０８ａを有している。
【００４４】
図１５において、第２の交換レンズ１２０のマウント基準面１０２ａから該交換レンズのカメラ側後端面までの光軸方向の距離をＡとする。
【００４５】
図１６において、第１の交換レンズ１３０のマウント基準面１０２ａから該交換レンズのカメラ側後端面までの光軸方向の距離をＢ（＜Ａ）とする。
【００４６】
図１７において、第２のカメラボディ１４０のマウント基準面１０９ａから切り欠き部１０８ａの後端面（第２の壁部）までの光軸方向の距離をＣとする。
【００４７】
図１８において、第１のカメラボディ１５０のマウント基準面１０９ａから突き当て面１１２ａまでの光軸方向の距離をＤとする。
【００４８】
図１５および図１６において、第２および第１の交換レンズ１２０，１３０のマウント基準面１０２ａからレンズマウントのバヨネット爪部のカメラ側端面（図中の右端面）までの光軸方向の距離をＥとする。
【００４９】
図１７および図１８に於いて、第２および第１のカメラボディ１４０，１５０のマウント基準面１０９ａからカメラ側マウントのバヨネット爪部のレンズ側端面（図中の左端面）までの光軸方向の距離をＦとする。
【００５０】
図１５および図１６において、第２および第１の交換レンズ１２０，１３０のマウント基準面２ａから電気接点５の接触面５ａまでの光軸方向の距離をＧとする。
【００５１】
図１７および図１８において、第２および第１のカメラボディ１４０，１５０のマウント基準面１０９ａからカメラ側電気接点ピン１１０の先端までの、交換レンズが取り付けられていない状態での、光軸方向の距離をＨとする。
【００５２】
図１１において、第２の交換レンズ１２０と第２のカメラボディ１４０が装着可能になるためには、ＡよりもＣが大きいことが必要である。
【００５３】
図１２において、第２の交換レンズ１２０と第１のカメラボディ１５０が装着不可になるためには、ＡよりもＤが小さいことが必要である。
【００５４】
図１３および図１４において、第１の交換レンズ１３０と第１および第２のカメラボディ１５０，１４０が装着可能になるためには、ＢよりもＣおよびＤが大きいことが必要である。
【００５５】
以上を図中の記号で表すと、交換レンズの選択的なカメラボディへの装着可・不可となるには、
Ｃ＞Ａ＞Ｄ＞Ｂ
を満足することが必要である。
【００５６】
図１２において、第２の交換レンズ１２０と第１のカメラボディ１５０が装着不可になる時に、該カメラボディに対して該交換レンズの不要な回転を行なわせないためには、第２の交換レンズ１２０のマウントのバヨネット爪部１０２ｂが第１のカメラボディ１５０のマウントのバヨネット爪部１０９ｂのない角度位相に入り込み、且つ光軸方向で同じ位置にバヨネット爪部があることが必要である。これを図中の記号で表すと、
Ｅ−Ｆ＞Ａ−Ｄ、且つＤ＞Ｅ
を満足することが必要である。
【００５７】
言い換えると、上記式を満足する場合、第２の交換レンズ１２０のマウントのバヨネット爪部１０２ｂが第１のカメラボディ１５０のマウントのバヨネット爪部１０９ｂのある角度位相に入り込まず、バヨネット爪部１０２ｂのカメラ側端面がバヨネット爪部１０９ｂのレンズ側端面に当接した状態では、第２の交換レンズ１２０の裏蓋１０３におけるカメラ側後端面が、ほぼバヨネット爪部１０２ｂの厚み相当分、第１のカメラボディ１５０の突き当て面１１２ａから離れることになる。
【００５８】
さらに、図１２において、第２の交換レンズ１２０と第１のカメラボディ１５０が装着不可になる時に、該カメラボディ１５０の電気接点ピン１１０が、装着不可なのに装着しようとする際の該交換レンズ１２０の後端との干渉や、該干渉によるキズ等から該電気接点１１０および該交換レンズ１２０側の電気接点１０５を守るための条件として、図中の記号で表すと、
（Ａ−Ｄ）＞（Ｇ−Ｈ）＞０
を満足することが必要である。
【００５９】
従って、上記に示した条件式を満足する寸法設定を行なうことで、マウント基準面からフィルム面（若しくは撮像素子の受光面）までのフランジバックが同一寸法であり、ボディ側マウントが同一形状である第１および第２のカメラボディと、ボディ側マウントに係合する共通のレンズ側マウントを有する複数の交換レンズ群とを有するカメラシステムにおいて、カメラボディ側で取り付けることのできる交換レンズ群を選択可能とし、装着不可の組合せ時にも該カメラボディおよび該交換レンズに不要なキズ等を付けることなく、且つ該カメラボディおよび該交換レンズ間の電気信号通信および電力供給のための電気接点を確実に保護することができる。
【実施例３】
【００６０】
以下、上記実施例１および実施例２にて説明した交換レンズおよびカメラの構成について、図１９〜図４１を用い、新たに符号を付して実施例３としてより詳細に説明する。なお、ここでは、第１および第２のカメラが、撮像素子を備えたデジタルカメラである場合について説明する。また、以下の説明において、「前」とは被写体側を、「後」とは像面若しくは撮像素子側を示す。
【００６１】
図１９、図２６，図２８および図２９には、第１のカメラ（カメラボディ）２０１を示す。第１のカメラ２０１の前面には、後述する第１の交換レンズを装着するためのリング状のマウント２０２が取り付けられている。このマウント２０２の前端面は、第１の交換レンズを装着する際の基準面（マウント基準面）２０２ａとなっている。
【００６２】
マウント２０２の内側（内径側）において、マウント基準面２０２ａから後方に奥まった位置には、第１の交換レンズとバヨネット結合するためのバヨネット爪２０３が周方向３箇所に形成されている。
【００６３】
さらに、これらバヨネット爪２０３が設けられている位置から後方に奥まった位置には、ミラーボックスの一部として、光軸Ｌ（図２６，２８および２９参照）に対して直交する、すなわちマウント基準面２０２ａに対して平行な壁部（第１の壁部）２０５が形成されている。この壁部２０５の内側には、矩形状の開口が形成されており、該開口の後方奥には、クイックリターンミラー２０６が配置され、さらにその後方には、ＣＣＤやＣＭＯＳセンサからなる撮像素子２１０が固定されている（図２６，図２８および図２９参照）。クイックリターンミラー２０６は、壁部２０５よりも後方にて回動する。
【００６４】
また、壁部２０５の下部には、複数の電気接点ピン２０４が設けられている。これら電気接点ピン２０４は、装着された第１の交換レンズとの通信および第１の交換レンズに対する電源供給を行うためのものである。
【００６５】
なお、図１９に示すように、マウント２０２における前端面の上部には、第１の交換レンズをバヨネット結合させる際に、該第１の交換レンズのバヨネット爪の位相を第１のカメラ２０１におけるバヨネット爪２０３のない位相（周方向にて隣り合うバヨネット爪２０３の間）に合わせるための目印となる赤色丸形状のカメラ側指標（以下、レンズ取り付け指標という）２０８が設けられている。
【００６６】
図２０，図２７および図３０には、第２のカメラ（カメラボディ）３０１を示す。第２のカメラ３０１の前面には、後述する第１および第２の交換レンズを装着するためのリング状のマウント３０２が取り付けられている。このマウント３０２の前端面は、第１および第２の交換レンズを装着する際の基準面（マウント基準面）３０２ａとなっている。
【００６７】
マウント３０２の内側（内径側）において、マウント基準面３０２ａから後方に奥まった位置には、第１および第２の交換レンズとバヨネット結合するためのバヨネット爪３０３が周方向３箇所に形成されている。
【００６８】
さらに、これらバヨネット爪３０３が設けられている位置から後方に奥まった位置には、ミラーボックスの一部として、光軸Ｌ（図２７および２９参照）に対して直交する、すなわちマウント基準面３０２ａに対して平行な壁部３０５が形成されている。ここで、マウント基準面３０２ａから壁部３０５までの寸法と、第１のカメラ２０１におけるマウント基準面２０２ａから壁部２０５までの寸法（図２８中にＦ’で示す）とは同じである。
【００６９】
さらに、この壁部３０５の内側には、後述する第２の交換レンズの後端側に設けられた突出部を収容可能な収容部３０７が形成されている。この収容部３０７は、壁部３０５から後方に下がった凹形状を有し、その後端面（第２の壁部）３０７ａには、矩形状の開口が形成されている。
【００７０】
そして、該開口の後方奥には、クイックリターンミラー３０６が配置され、さらにその後方には、ＣＣＤやＣＭＯＳセンサからなる撮像素子３１０が固定されている（図２７および図３０参照）。
【００７１】
ここで、本実施例の第２のカメラ３０１には、第１のカメラ２０１に比べて小さなイメージサークルに対応するよう、第１のカメラ２０１の撮像素子３１０よりも小さなサイズの撮像素子２１０が用いられている。このため、クイックリターンミラー３０６も第１のカメラ２０１のクイックリターンミラー３０６に比べて小型のものが用いられており、該クイックリターンミラー３０６は、収容部３０７の後端面３０７ａよりも後方にて回動する。クイックリターンミラー３０６および撮像素子３１０の小型化により、第２のカメラ３０１の全体を第１のカメラ２０１に対して小型化することができる。
【００７２】
なお、壁部３０５の下部には、複数の電気接点ピン３０４が設けられている。これら電気接点ピン３０４は、装着された第１および第２の交換レンズとの通信およびこれら交換レンズに対する電源供給を行うためのものである。
【００７３】
また、図２０に示すように、マウント３０２における前端面の上部には、第１の交換レンズをバヨネット結合させる際に、第１の交換レンズのバヨネット爪の位相を第２のカメラ３０１におけるバヨネット爪３０３のない位相（周方向にて隣り合うバヨネット爪３０３の間）に合わせるための目印となる赤色丸形状のカメラ側指標（以下、第１レンズ取り付け指標という）３０８が設けられている。
【００７４】
また、カメラボディ前面におけるマウント３０２よりも外側の部分には、第２の交換レンズをバヨネット結合させる際に、第２の交換レンズのバヨネット爪の位相を第２のカメラ３０１におけるバヨネット爪３０３のない位相（周方向にて隣り合うバヨネット爪３０３の間）に合わせるための目印となる白色四角形状のカメラ側指標（以下、第２レンズ取り付け指標という）３０９が設けられている。
【００７５】
図２１および図２４には、第１の交換レンズ４０１を示す。第１の交換レンズ４０１の内側には、前側から順に、第１の光学レンズ４１１と第２の光学レンズ４１２とが配置されている。なお、図にはこれら２つの光学レンズのみ示しているが、実際にはこれらの光学レンズの間に他の光学レンズが収容されている。
【００７６】
第１の交換レンズ４０１の後部には、リング状のマウント４０２が取り付けられている。マウント４０２のうち最外周部分の後端面は、第１および第２のカメラ２０１，３０１に装着する際の基準面（マウント基準面）４０２ａとなっている。
【００７７】
また、マウント４０２におけるマウント基準面４０２ａよりも内径側は、後方に突出した形状を有し、その後端部の外周における３箇所には、第１および第２のカメラ２０１，３０１のバヨネット爪２０３，３０３と係合可能なバヨネット爪４０３が形成されている。このバヨネット爪４０３の後端面は、第１の交換レンズ４０１の後端面を構成している。
【００７８】
また、第１の交換レンズ４０１の後端面の下部には、第１のおよび第２のカメラ２０１，３０１との通信やこれらカメラからの電源供給を受けるための複数の電気接点４０４が設けられている。なお、これら電気接点４０４は、第１の交換レンズ４０１の後端面から若干後方に突出した位置に設けられているが、以下の説明においてはこの電気接点４０４の突出量は無視するものとする。
【００７９】
また、マウント４０２の最内径部には、レンズ保持部材４１３を介して第２の光学レンズ４１２が固定保持されている。但し、第２の光学レンズ４１２は、図のように固定保持されていてもよいし、光軸方向に可動としてもよい。
【００８０】
さらに、図２１に示すように、第１の交換レンズ４０１の外周面後部には、該第１の交換レンズ４０１を第１および第２のカメラ２０１，３０１にバヨネット結合させる際に、該第１の交換レンズ４０１のバヨネット爪４０３の位相を第１および第２のカメラ２０１，３０１におけるバヨネット爪２０３，３０３のない位相に合わせるための目印となる赤色丸形状のレンズ側指標（以下、第１レンズ側指標という）４０８が設けられている。
図２２，２３および２５には、第２の交換レンズ５０１を示す。第２の交換レンズ５０１の内側には、前側から順に、第１の光学レンズ５１１と第２の光学レンズ５１２とが配置されている。なお、図にはこれら２つの光学レンズのみ示しているが、実際にはこれら光学レンズの間に他の光学レンズが収容されている。
【００８１】
第２の交換レンズ５０１の後部には、図３７にも示すリング状のマウント５０２が取り付けられている。マウント５０２のうち最外周部分の後端面は、第２のカメラ３０１に装着する際の基準面（マウント基準面）５０２ａとなっている。
【００８２】
また、マウント５０２におけるマウント基準面５０２ａよりも内径側は、上記第１の交換レンズ４０１におけるマウント基準面４０２ａから後方への突出量よりも大きな突出量、突出した形状を有する。
【００８３】
そして、この突出した部分のうち光軸方向中間位置の外周３箇所には、第２のカメラ３０１のバヨネット爪３０３と係合可能なバヨネット爪５０３が形成されている。ここで、マウント基準面５０２ａからバヨネット爪５０３の後端面までの寸法は、第１の交換レンズ４０１におけるマウント基準面４０２ａからバヨネット爪４０３の後端面までの寸法と同一である。
【００８４】
また、マウント５０２におけるバヨネット爪５０３の内径側は、さらに後方に突出している。なお、マウント基準面５０２ａからバヨネット爪５０３よりも後方に突出した部分の後端面までが請求の範囲にいう突出部であるが、ここでは、バヨネット爪５０３よりも後方に突出した部分を、説明の便宜上、突出部５０５と称する。図２５に示すように、突出部５０５の後端面のマウント基準面５０２ａからの突出量Ｂは、図２４に示した第１の交換レンズ４０１におけるマウント基準面４０２ａから後方への突出量Ｂ’よりも大きい。なお、突出部５０５の突出量Ｂの設定については後述する。
【００８５】
そしてこの突出部５０５の最内径部には、レンズ保持部材５１３を介して第２の光学レンズ５１２が固定保持されている。但し、第２の光学レンズ５１２は、図のように固定保持されていてもよいし、突出部５０５の内側スペースを含む領域内で光軸方向に可動としてもよい。
【００８６】
ここで、図２４および図２５に示すように、第１の交換レンズ４０１のマウント基準面４０２ａから撮像面（撮像素子２１０，３１０の受光面）１００までの距離であるフランジバックＡは、第２の交換レンズ５０１のマウント基準面５０２ａから撮像面（撮像素子３１０の受光面）１００までの距離であるフランジバックＡと等しい。
【００８７】
また、図２５に示す、第２の交換レンズ５０１における第２の光学レンズ５１２から撮像面１００までの距離であるバックフォーカスＣは、第１の交換レンズ４０１における第２の光学レンズ４１２から撮像面１００までの距離であるバックフォーカスＣ’よりも短い。このようにバックフォーカスが短いことにより、第２の交換レンズ５０１は広角化を図るための光学設計上、有利なものとなっている。しかも、この第２の交換レンズ５０１が装着される第２のカメラ３０１においても、前述したようにイメージサークルを小さくしたことにより、クイックリターンミラー３０６を小さくすることができる。
【００８８】
但し、通常の望遠撮影も可能とするため、第２のカメラ３０１には、第１の交換レンズ２０１も装着可能となっている。したがって、第１のカメラ２０１に装着可能な第１の交換レンズ２０１を第２のカメラ３０１でも有効利用することができる。
【００８９】
さらに、第２の交換レンズ５０１の外周面の後部には、該第２の交換レンズ５０１を第２のカメラ３０１にバヨネット結合させる際に、該第２の交換レンズ５０１のバヨネット爪５０３の位相を第２のカメラ３０１におけるバヨネット爪３０３のない位相に合わせるための目印となる白色四角形状のレンズ側指標（以下、第２レンズ側指標という）５０９が設けられている。
【００９０】
なお、第２の交換レンズ５０１における第２レンズ側指標５０９が設けられた位置のバヨネット爪５０３に対する位相は、第１の交換レンズ４０１における第１レンズ側指標４０８が設けられた位置のバヨネット爪４０３に対する位相とは２０度程度異なる。
【００９１】
また、図３７にも示すように、マウント５０２には複数の電気接点５０４が保持されており、これら電気接点５０４は、バヨネット爪５０３よりも若干後方（ただし、突出部５０５の後端面よりも前側）にて露出している。
【００９２】
また、本実施例で説明する第１のカメラ２０１と第２のカメラ３０１のマウント構造（形状および寸法）は、バヨネット爪の形状および寸法を含めて相互に同一である。また、第１の交換レンズ４０１と第２の交換レンズ５０１のマウント構造（形状および寸法）は、バヨネット爪の形状および寸法を含めて相互に同一である。そして、これらカメラと交換レンズ間では、互いに係合可能な共通のマウント構造を有する。
【００９３】
但し、それぞれに３つずつ設けられたバヨネット爪間にはその周方向長さに差が設けられている。これにより、相互に装着可能な交換レンズとカメラの組み合わせにおいて、交換レンズはカメラに対して、該交換レンズの３つのバヨネット爪が該カメラの３つのバヨネット爪の間に挿入される１つの位相関係にあるときに限り適正に装着されるようになっている。この位相関係を知る目印となるのが、指標２０８，３０８，３０９，４０８，５０９である。
【００９４】
図２６には、第１の交換レンズ４０１が第１のカメラ２０１に装着された状態を示している。この場合、第１の交換レンズ４０１に設けられた第１レンズ側指標４０８を第１のカメラ２０１に設けられた第１レンズ取り付け指標２０８に合わせて、第１の交換レンズ４０１のバヨネット爪４０３を第１のカメラ２０１のバヨネット爪２０３の間に挿入する。これにより、マウント基準面２０２ａ，４０２ａ同士が当接する。そして、第１の交換レンズ４０１を第１のカメラ２０１に対して所定角度回転させることにより、第１の交換レンズ４０１のバヨネット爪４０３と第１のカメラ２０１のバヨネット爪２０３とが係合（バヨネット爪４０３の前端面とバヨネット爪２０３の後端面とが密着）し、第１の交換レンズ４０１が第１のカメラ２０１に装着される。
【００９５】
この状態で、第１のカメラ２０１の電気接点ピン２０４と第１の交換レンズ４０１の電気接点４０４とが接触し、両者間での通信および第１のカメラ２０１から第１の交換レンズ４０１への電源供給が可能となる。
【００９６】
次に、図２７には、第２の交換レンズ５０１が第２のカメラ３０１に装着された状態を示している。この場合、図３１に示すように、第２の交換レンズ５０１に設けられた第２レンズ側指標５０９を第２のカメラ３０１に設けられた第２レンズ取り付け指標３０９に合わせて、第２の交換レンズ５０１のバヨネット爪５０３を第２のカメラ３０１のバヨネット爪３０３の間に挿入する。これにより、マウント基準面３０２ａ，５０２ａ同士が当接する。
【００９７】
このとき、図２７に示すように、第２の交換レンズ５０２の突出部５０５は、第２のカメラ３０１の収容部３０７内に入り込む（収容される）。なお、図中にＦで示す、第２のカメラ３０１のマウント基準面３０２ａから収容部３０７の後端面３０７ａまでの距離は、第２の交換レンズ５０１の突出部５０５の突出量Ｂよりも若干大きく、該突出部５０５の後端面は収容部３０７の後端面３０７ａには当接しない。すなわち、収容部３０７の後端面３０７ａは、第２の交換レンズ５０１の突出部５０５から退避する位置に設けられている。
【００９８】
そして、第２の交換レンズ５０１を第２のカメラ３０１に対して所定角度回転させることにより、第２の交換レンズ５０１のバヨネット爪５０３と第２のカメラ３０１のバヨネット爪３０３とが係合（バヨネット爪５０３の前端面とバヨネット爪３０３の後端面とが密着）し、第２の交換レンズ５０１が第２のカメラ３０１に装着される。
【００９９】
この状態で、第２のカメラ３０１の電気接点ピン３０４と第２の交換レンズ５０１の電気接点５０４とが接触し、両者間での通信および第２のカメラ３０１から第２の交換レンズ５０１への電源供給が可能となる。
【０１００】
図２８には、第２の交換レンズ５０１を第１のカメラ２０１に装着しようとした状態を示している。ここでは、図３２に示すように、第２の交換レンズ４０１に設けられた第２レンズ側指標５０９を第１のカメラ２０１に設けられたレンズ取り付け指標２０８に合わせた場合（特定の位相関係以外の位相関係にある場合）を示している。
【０１０１】
この場合、前述したように、第２の交換レンズ５０１における第２レンズ側指標５０９のバヨネット爪５０３に対する位相が、第１の交換レンズ４０１における第１レンズ側指標４０８のバヨネット爪４０３に対する位相とは異なっているため、第２の交換レンズ５０１のバヨネット爪５０３は第１のカメラ２０１のバヨネット爪２０３の間に入り込まず、第２の交換レンズ５０１のバヨネット爪５０３の後端面が第１のカメラ２０１のバヨネット爪２０３の前端面に当接する。図３２における斜線部Ｐは、両バヨネット爪５０３，２０３が当接している部分である。
【０１０２】
そしてこのとき、図２８に示すように、第２の交換レンズ５０１の突出部５０５の後端面は、第１のカメラ２０１の壁部２０５から図中の距離Ｓだけ離れて位置する（すなわち、壁部２０５に対して当接しない）。距離Ｓは、おおむねバヨネット爪５０３の厚み相当の寸法である。したがって、この状態で第２の交換レンズ５０１が第１のカメラ２０１に対して回転されても、突出部５０５との擦れ等によって壁部２０５や突出部５０５自体に傷が付くおそれはない。
【０１０３】
なお、このような状態は、第２の交換レンズ５０１の３つのバヨネット爪５０３の後端面と第１のカメラ２０１の３つのバヨネット爪２０３とがそれらの少なくとも一部において当接する広い（後述する特定の位相関係を持つ場合に比べて広い）位相関係で生じる。このため、このような誤装着が行われようとする多くの場合に、壁部２０５や突出部５０５に傷が付くことを回避できる。しかも、バヨネット爪はもともと強度が強いので（特に、バヨネット爪を含むマウント全体が金属で製作されている場合は特に）、第２の交換レンズ５０１が第１のカメラ２０１に対して押しつけられて回転されても、強度上の問題は生じない。
【０１０４】
これに対し、図２９には、第２の交換レンズ５０１と第１のカメラ２０１とが、図３３に示すように第２の交換レンズ５０１に設けられた３つのバヨネット爪５０３のすべてが第１のカメラ２０１に設けられた３つのバヨネット爪２０３の間に入り込んでしまう位相関係（特定の位相関係）となった場合を示している。例えば、図２８および図３２に示した状態からユーザーが第２の交換レンズ５０２を回転させて図２９および図３３に示す状態になった場合である。
【０１０５】
この場合、第２の交換レンズ５０１の突出部５０５の後端面は、第１のカメラ２０１の壁部２０５に当接する。そして、第２の交換レンズ５０１のバヨネット爪５０３と第１のカメラ２０１のバヨネット爪２０３の周方向端面同士が近接して対向若しくは当接する（光軸方向においてほぼ同じ位置にあり、少なくとも一部が周方向視において重なる）。このため、突出部５０５の後端面が壁部２０５に当接することによって第２の交換レンズ５０１の第１のカメラ２０１への装着が阻止されるとともに、バヨネット爪５０３，２０３の周方向端面同士が当接することによって第２の交換レンズ５０１の第１のカメラ２０１に対する無用な回転も阻止される。したがって、たとえ突出部５０５の後端面が壁部２０５に当接しても、該壁部２０５や突出部５０５に傷が付くことが極力回避される。
【０１０６】
なお、図３４，図３５および図３６に示すように、第２の交換レンズ５０１の３つのバヨネット爪５０３のうち１つが、第１のカメラ２０１の３つのバヨネット爪２０３の間のいずれかに入り込む場合がある（特定の位相関係の他の例）。この状態は、図２９および図３３に示す状態と図２８および図３２に示す状態との中間的な状態であり、第２の交換レンズ５０１の３つのバヨネット爪５０３のうち第１のカメラ２０１のバヨネット爪２０３の間に入り込んだバヨネット爪以外の２つのバヨネット爪の少なくとも１つの後端面（例えば、図３６の上側のバヨネット爪５０３）は、第１のカメラ２０１のバヨネット爪２０３の前端面に対して斜めになって当接している（図３４および３５には、該当接が生じ得る範囲を斜線部Ｐで示している）。
【０１０７】
このときも、突出部５０５のうちその入り込んだバヨネット爪５０３側の部分（図３６の下側の部分）が第１のカメラ２０１の壁部２０５に当接して、それ以上の第２の交換レンズ５０１の第１のカメラ２０１に対する装着方向への移動が阻止される。また、該入り込んだバヨネット爪５０３とこれを周方向にて挟む第１のカメラ２０１のバヨネット爪２０３の周方向端面同士が当接することにより、第２の交換レンズ３０１の無用な回転が阻止される。したがって、該壁部２０５および突出部５０５に傷が付くことが極力回避される。
【０１０８】
以上説明したように、第２の交換レンズ５０１における突出部５０５のマウント基準面５０２ａからの突出量Ｂは、
（１）第２の交換レンズ５０１が第１のカメラ２０１に対して特定の位相関係（図２９，３３および図３３，３４に示す位相関係）にあるときは、突出部５０５の後端面が第１のカメラ２０１の壁部２０５に当接すること、
（２）第２の交換レンズ５０１が第１のカメラ２０１に対して上記特定の位相関係以外の位相関係（例えば、図２８，３２に示す位相関係）にあって該第２の交換レンズ５０１のバヨネット爪５０３の像面側の面（後端面）が第１のカメラ２０１のバヨネット爪２０３（の前端面）に当接した状態にあるときは、突出部５０５の後端面が壁部２０５から離れること、
の２つを条件として設定されている。
【０１０９】
すなわち、第２の交換レンズ５０５と第１のカメラ２０１とが特定の位相関係以外の位相関係にあるときには、バヨネット爪同士が光軸方向において当接するために第２の交換レンズ５０１の突出部５０５は第１のカメラ２０１の壁部２０５に当接することなく、第２の交換レンズ５０５の第１のカメラ２０１に対する装着を阻止することができる。
【０１１０】
例えば、第２の交換レンズ５０１に設けられた第２レンズ側指標５０９を第１のカメラ２０１のレンズ取り付け指標２０８に合わせてこれらを装着しようとすると、両者のバヨネット爪同士が光軸方向にて当接して、該装着が阻止される。
【０１１１】
このため、第２の交換レンズ５０５を第１のカメラ２０１に装着しようとする多くの場合で、その装着を阻止しつつ、突出部５０５が壁部２０５に当接することに起因して壁部２０５や突出部５０５に傷が付いてしまうことが回避される。しかも、この場合は、バヨネット爪同士の当接であるので、強度面で問題とならない。  そして、第２の交換レンズ５０５と第１のカメラ２０１とが特定の位相関係にあるときに限り、突出部５０５が壁部２０５に当接することによって該装着が阻止される。但し、この場合でも、バヨネット爪同士の周方向での当接によって第２の交換レンズ５０１の第１のカメラ２０１に対する無用な回転が阻止されるので、壁部２０５に傷が付いてしまうおそれは少ない。
【０１１２】
なお、図３８および図３９には、第２の交換レンズ５０１（マウント５０２）の突出部５０５における後端部に、その全周にわたって弾性部材としてのゴムリング５０６がはめ込まれた実施例を示している。ゴムリング５０６は、突出部５０５の後端面をリング状に覆うように取り付けられている。
【０１１３】
ゴムリング５０６の後端面は、該ゴムリング５０６の内径側の部分（図２５に示したレンズ保持部材５１３の後端面）よりも若干後方に突出している。このようにすることで、上述した特定の位相関係にあって第２の交換レンズ５０２の突出部５０５が第１のカメラ２０１の壁部２０５に当接し得る状態になっても、ゴムリング５０６が先に壁部２０５に当接し、その弾性によってより効果的に壁部２０５や突出部５０５に傷がつくことを回避できる。
【０１１４】
また、上述した各実施例では、第２の交換レンズ５０１（マウント５０２）の突出部５０５がリング状に形成されている場合について説明したが、図４０および図４１に示すように、突出部５０５’，５０５”を周方向２箇所若しくは３箇所に分割して形成するようにしてもよい。この場合でも、弾性部材を突出部５０５’，５０５”の後端面を覆うように取り付けてもよい。
【０１１５】
次に、第２のカメラ３０１におけるクイックリターンミラー３０１の回動中心およびその回動軌跡について、図４２を用いて説明する。
【０１１６】
図中の３５０は第２のカメラ３０１に設けられたミラーボックスを示している。ミラーボックス３５０の前端面には、前述したマウント３０２が取り付けられている。なお、マウント３０２におけるマウント基準面３０２ａから後方に奥まった位置にはバヨネット爪３０３が形成されている。
【０１１７】
また、ミラーボックス３５０の内側（マウント３０２の内側）において、バヨネット爪３０３から後方に奥まった位置には、撮影光軸Ｌに対して直交する、すなわちマウント基準面３０２ａに対して平行な壁部３０５が形成されている。さらに、この壁部３０５の内側には、第２の交換レンズ５０１の突出部５０５（ゴムリング５０６が取り付けられている）を収容可能な収容部３０７が形成されている。
【０１１８】
さらに、ミラーボックス３５０における収容部３０７よりも後方の上側には、第２の交換レンズ５０５からの光束であって、クイックリターンミラー３０６にて反射してファインダー光学系（ペンタプリズム３６１および接眼レンズ３６２により構成される）に向かう光束を通過させる開口部３５１が形成されている。この開口部３５１内には、ピント板３５２が保持されている。
【０１１９】
なお、収容部３０７と開口部３５１との間には、これらの間を仕切るようにミラーボックス３５０に形成され、そのマウント３０２側の面が収容部３０７の後端面３０７ａを構成する仕切り部３５５が配置されている。
【０１２０】
また、ミラーボックス３５０の壁部３０５の下部には、前述した電気接点ピン３０４が前方にばね付勢された状態で保持されており、図４２では、その先端が第２の交換レンズ５０１の電気接点５０４に接触している。
【０１２１】
３０６ａはクイックリターンミラー３０６を保持し、軸３０６ｂを中心に回動する第１のミラー保持部材である。
【０１２２】
３１５はサブミラーであり、３１５ａはこのサブミラー３１５を保持する第２のミラー保持部材である。第２のミラー保持部材３１５ａは、第１のミラー保持部材３１５ａの背面側に軸３１５ｂを中心に回動可能に取り付けられている。
【０１２３】
クイックリターンミラー３０６は、交換レンズから入射した光束の一部を反射してファインダー光学系に導くダウン位置（第１の位置）と、該ダウン位置から上動して該光束に対して退避するアップ位置（第２の位置）との間で回動する。
【０１２４】
クイックリターンミラー３０６がダウン位置にあるときは、サブミラー３１５はクイックリターンミラー３０６に対して展開し、一部がハーフミラーとなっているクイックリターンミラー３０６を透過した光束をミラーボックス３５０の下方に配置された焦点検出ユニット（レンズ３７１および受光素子３７２等により構成されている）に導く。
【０１２５】
また、クイックリターンミラー３０６がアップ位置にあるときは、サブミラー３１５はクイックリターンミラー３０６に対して折りたたまれ、クイックリターンミラー３０６とともに上記光束に対して退避する。
【０１２６】
ここで、クイックリターンミラー３０６の回動中心となる軸３０６ｂは、該クイックリターンミラー３０６の面内方向を含む面Ｒに対して、下側、すなわちファインダー光学系とは反対側に設けられている。具体的には、第１のミラー保持部材３０６ａの撮像素子側の端部が、下方に折れ曲がった形状を有し、この折れ曲がった部分の先端に軸３０６ｂが設けられている。
【０１２７】
この場合のクイックリターンミラー３０６の前端部の回動軌跡を図中に円弧Ｔで示す。この回動軌跡Ｔは、前側に向かって凸となる形状を有し、その前側の頂点位置（最もマウント３０２側の位置）は、クイックリターンミラー３０６のアップ位置での前端部位置よりも下方であって、軸３０６ｂと同じ高さにある。このため、クイックリターンミラー３０６は、該頂点位置からアップ位置に動作するにしたがって後方に移動（スイングバック）する。
【０１２８】
そして、回動軌跡Ｔの頂点位置は、図に示すように、撮影光軸Ｌ方向における仕切り部３５５の収容部３０７側の面（収容部３０７の後端面３０７ａ）の位置と開口部３５１側の面（第３の壁部）３５５ａの位置との間の領域Ｍ内にある。より詳しくは、仕切り部３５５における開口部３５１側の面３５５ａの位置よりも収容部３０７側の面３０７ａの位置に近い位置にある。
【０１２９】
一方、仮にクイックリターンミラー３０６の回動中心が、面Ｒ上（軸３０６ｂの真上）にあるとすると、このときのクイックリターンミラー３０６の前端部の回動軌跡はＴ’のようになる。回動軌跡Ｔ’は、アップ位置に近づくにしたがって収容部３０７内に突出していく。このため、このような回動中心の設定では、クイックリターンミラー３０６が第２の交換レンズ５０１の突出部５０５に干渉してしまう。
【０１３０】
これに対し、本実施例のように、クイックリターンミラー３０６の回動中心（軸３０６ｂ）を面Ｒの下方に設けることで、回転軌跡Ｔの頂点を前述した領域Ｍ内に納めることができ、交換レンズ５０１の突出部５０５との干渉を避けることができる。
【０１３１】
言い換えれば、クイックリターンミラー３０６の回動中心が面Ｒ上に位置する場合に比べて、クイックリターンミラー３０６の回動領域を撮像面（撮像素子３１０）側に寄せることができる。このため、第２のカメラ３０１のより小型化が図れるとともに、該第２のカメラ３０１に装着される第２の交換レンズ５０１の突出部５０５の後方突出量をより大きく設定することができる。したがって、第２の交換レンズ５０１のバックフォーカスも十分に短くすることができる。
【０１３２】
しかも、本実施例では、回転軌跡Ｔの頂点位置が仕切り部３５５における開口部３５１側の面３５５ａの位置よりも収容部３０７側の面３０７ａの位置に近い位置にあるので、クイックリターンミラー３０６との干渉が生じない限界近くの位置まで第２の交換レンズ５０１の突出部５０５を突出させることができる。
【図面の簡単な説明】
【０１３３】
【図１】本発明の実施例１における第１の交換レンズ鏡筒の断面図である。
【図２】本発明の実施例１における第２の交換レンズ鏡筒の断面図である。
【図３】本発明の実施例１における第１の交換レンズ鏡筒を第１のカメラボディに装着したときの断面図である。
【図４】本発明の実施例１における第１の交換レンズ鏡筒を第２のカメラボディに装着したときの断面図である。
【図５】本発明の実施例１における第２の交換レンズ鏡筒を第２のカメラボディに装着したときの断面図である。
【図６】本発明の実施例１における第２の交換レンズ鏡筒を第１のカメラボディに装着しようとしたときの断面図である。
【図７】本発明の実施例１における第１の交換レンズ鏡筒を第１のカメラボディに装着したときの正面図である。
【図８】本発明の実施例１における第２の交換レンズ鏡筒を第２のカメラボディに装着したときの正面図である。
【図９】本発明の実施例１における第１の交換レンズ鏡筒を第１のカメラボディに装着したときの側面図である。
【図１０】本発明の実施例１における第２の交換レンズ鏡筒を第２のカメラボディに装着したときの側面図である。
【図１１】本発明の実施例２における、第１の交換レンズと第１のカメラボディが装着された状態を示す断面図である。
【図１２】本発明の実施例２における、第１の交換レンズと第２のカメラボディが装着できない状態を示す断面図である。
【図１３】本発明の実施例２における、第２の交換レンズと第１のカメラボディが装着された状態を示す断面図である。
【図１４】本発明の実施例２における、第２の交換レンズと第２のカメラボディが装着された状態を示す断面図である。
【図１５】本発明の実施例２における、第１の交換レンズの断面図及び正面図である。
【図１６】本発明の実施例２における、第２の交換レンズの断面図及び正面図である。
【図１７】本発明の実施例２における、第１のカメラボディの断面図及び正面図である。
【図１８】本発明の実施例２における、第２のカメラボディの断面図及び正面図である。
【図１９】本発明の実施例３における第１のカメラの斜視図である。
【図２０】本発明の実施例３における第２のカメラの斜視図である。
【図２１】本発明の実施例３における第１の交換レンズの側面図である。
【図２２】本発明の実施例３における第２の交換レンズの側面図である。
【図２３】本発明の実施例３における第２の交換レンズの斜視図である。
【図２４】本発明の実施例３における第１の交換レンズの断面図である。
【図２５】本発明の実施例３における第２の交換レンズの断面図である。
【図２６】本発明の実施例３における第１の交換レンズが第１のカメラに装着された状態を示す断面図である。
【図２７】本発明の実施例３における第２の交換レンズが第２のカメラに装着された状態を示す断面図である。
【図２８】本発明の実施例３における第２の交換レンズが第１のカメラに対して装着不可の状態を示す断面図である。
【図２９】本発明の実施例３における第２の交換レンズが第１のカメラに対して装着不可の状態を示す断面図である。
【図３０】本発明の実施例３における第１の交換レンズが第２のカメラに装着された状態を示す断面図である。
【図３１】本発明の実施例３における第２の交換レンズと第２のカメラのバヨネット爪の位相関係を示す正面図である。
【図３２】本発明の実施例３における第２の交換レンズと第１のカメラのバヨネット爪の位相関係を示す正面図である。
【図３３】本発明の実施例３における第２の交換レンズと第１のカメラのバヨネット爪の位相関係を示す正面図である。
【図３４】本発明の実施例３における第２の交換レンズと第１のカメラのバヨネット爪の位相関係を示す正面図である。
【図３５】本発明の実施例３における第２の交換レンズと第１のカメラのバヨネット爪の位相関係を示す正面図である。
【図３６】本発明の実施例３における第２の交換レンズが第１のカメラに対して装着不可の状態を示す断面図である。
【図３７】本発明の実施例３における第２の交換レンズに設けられたマウントの断面図である。
【図３８】本発明の実施例３における第２の交換レンズに設けられたマウントの変形例を示す断面図である。
【図３９】本発明の実施例３における第２の交換レンズに設けられたマウントの変形例を示す斜視図である。
【図４０】本発明の実施例３における第２の交換レンズに設けられたマウントの変形例を示す斜視図である。
【図４１】本発明の実施例３における第２の交換レンズに設けられたマウントの変形例を示す斜視図である。
【図４２】本発明の実施例３における第２のカメラのクイックリターンミラー回りの断面図である。
【符号の説明】
【０１３４】
１  第１の交換レンズ
２  第１の光学レンズ
３  第２の光学レンズ
４  バヨネット爪
５  交換レンズ側基準面
６  取り付け指標
１１  第２の交換レンズ
１２  第１の光学レンズ
１３  第２の光学レンズ
１４  突出部
１５  ゴムリング
１６  取り付け指標
２１  第１のカメラボディ
２２  カメラボディ側基準面
２３  バヨネット構造
２４  クイックリターンミラー
２５  壁部
３１  第２のカメラボディ
３２  クイックリターンミラー
３３  凹部
３４  取り付け指標
３５  取り付け指標
１００  撮像面
１０１  第２交換レンズの本体
１０２  交換レンズマウント
１０３  第２交換レンズの裏蓋
１０４  保護ゴムリング
１０５  交換レンズ側電気接点
１０６  第１の交換レンズの本体
１０７  第１の交換レンズの裏蓋
１０８  第２カメラボディの本体
１０９  カメラ側マウント
１１０  カメラ側電気接点ピン
１１１  電気接点ピン用バネ
１１２  第１カメラボディの本体
１２０  第２の交換レンズ
１３０  第１の交換レンズ
１４０  第２のカメラボディ
１５０  第１のカメラボディ
２０１  第１のカメラ
２０２  マウント
２０３  バヨネット爪
２０５  壁部
２０６  クイックリターンミラー
２０８  レンズ取り付け指標
２１０  撮像素子
３０１  第２のカメラ
３０２  マウント
３０３  バヨネット爪
３０６  クイックリターンミラー
３０７  収容部
３０８  第１レンズ取り付け指標
３０９  第２レンズ取り付け指標
３１０  撮像素子
４０１  第１の交換レンズ
４０２  マウント
４０３  バヨネット爪
４０８  第１レンズ側指標
５０１  第２の交換レンズ
５０２  マウント
５０３  バヨネット爪
５０８  第２レンズ側指標
【図１】
2005099066.tif 000003
【図２】
2005099066.tif 000004
【図３】
2005099066.tif 000005
【図４】
2005099066.tif 000006
【図５】
2005099066.tif 000007
【図６】
2005099066.tif 000008
【図７】
2005099066.tif 000009
【図８】
2005099066.tif 000010
【図９】
2005099066.tif 000011
【図１０】
2005099066.tif 000012
【図１１】
2005099066.tif 000013
【図１２】
2005099066.tif 000014
【図１３】
2005099066.tif 000015
【図１４】
2005099066.tif 000016
【図１５】
2005099066.tif 000017
【図１６】
2005099066.tif 000018
【図１７】
2005099066.tif 000019
【図１８】
2005099066.tif 000020
【図１９】
2005099066.tif 000021
【図２０】
2005099066.tif 000022
【図２１】
2005099066.tif 000023
【図２２】
2005099066.tif 000024
【図２３】
2005099066.tif 000025
【図２４】
2005099066.tif 000026
【図２５】
2005099066.tif 000027
【図２６】
2005099066.tif 000028
【図２７】
2005099066.tif 000029
【図２８】
2005099066.tif 000030
【図２９】
2005099066.tif 000031
【図３０】
2005099066.tif 000032
【図３１】
2005099066.tif 000033
【図３２】
2005099066.tif 000034
【図３３】
2005099066.tif 000035
【図３４】
2005099066.tif 000036
【図３５】
2005099066.tif 000037
【図３６】
2005099066.tif 000038
【図３７】
2005099066.tif 000039
【図３８】
2005099066.tif 000040
【図３９】
2005099066.tif 000041
【図４０】
2005099066.tif 000042
【図４１】
2005099066.tif 000043
【図４２】
2005099066.tif 000044